(57)【特許請求の範囲】
【請求項１】
バッテリーユニットを着脱可能な第１のバッテリー装着部及び第２のバッテリー装着部を備えた電子機器であって、
筐体と、
前記筐体の一又は二の面に形成された、前記バッテリーユニットを挿入可能な前記第１のバッテリー装着部及び前記第２のバッテリー装着部それぞれの開口箇所である開口部と、
前記第１のバッテリー装着部及び前記第２のバッテリー装着部に装着された前記バッテリーユニットをそれぞれ離脱不可に係止可能な操作部と、
前記筐体における前記第１のバッテリー装着部と前記第２のバッテリー装着部との間に配されたバッテリー保持部とを備え、
前記バッテリー保持部は、前記第１のバッテリー装着部に装着されたバッテリーユニットの凹部と嵌合する第１の保持部と、前記第２のバッテリー装着部に装着されたバッテリーユニットの凹部と嵌合する第２の保持部とを一体的に備えた、電子機器。
【請求項２】
前記バッテリー保持部は、
前記第１の保持部と前記第２の保持部とを連結する連結部を備え、
前記連結部に複数の孔部が形成され、
前記筐体の一部が前記複数の孔部のうち少なくとも１つの孔部に係合している、請求項１記載の電子機器。
【請求項３】
前記バッテリー保持部は、前記連結部に形成された前記複数の孔部のうち少なくとも１つの孔部を用いて前記筐体に固定されている、請求項２記載の電子機器。
【請求項４】
前記バッテリー装着部は、対向する一対の内面に凹部が形成され、
前記バッテリーユニットは、前記凹部に嵌合可能な突起部が形成されている、請求項１または２記載の電子機器。
【請求項５】
前記バッテリー装着部は、対向する一対の内面に突起部が形成され、
前記バッテリーユニットは、前記突起部に嵌合可能な凹部が形成されている、請求項１または２記載の電子機器。
【発明の詳細な説明】
【技術分野】
【０００１】
本願の開示は、電子機器に関する。
【背景技術】
【０００２】
近年、ノートパソコンなどの携帯型電子機器は、バッテリーを着脱可能な構成を備えているものが多い。このような携帯型電子機器において、バッテリーはロック機構等によって装着位置に保持することができる構成になっていることが多い。そして、ロック機構によるバッテリーのロック状態を解除することにより、バッテリーを携帯型電子機器から取り外すことができる。
【０００３】
バッテリーを携帯型電子機器から取り外す際、ロック機構によるロック状態を解除した時に、バッテリーを誤って床等に落下させてしまうことがある。特許文献１は、バッテリーを機器から取り外す際に誤ってバッテリーを落下させてしまうことを防ぐことができる構成を開示している。
【０００４】
特許文献１は、電池カートリッジの内面に、第１の電池の端面に接触し得る支点が設けられるとともに、電池カートリッジの挿抜時に第１の電池の端面の支点から離間した部位から支点にかけて及び支点から離間した部位にかけて連続的に押圧することで、第１の電池を支点の回りに摺動させ、第１の電池の一方の極（＋）を、第２の電池の他方の極（−）に擦り合わせる弾性体が電池カートリッジ収納部の内面に設けた構成を開示している。
【先行技術文献】
【特許文献】
【０００５】
【特許文献１】特開２００４−１１９１７４号公報
【発明の概要】
【発明が解決しようとする課題】
【０００６】
しかしながら特許文献１に開示されている構成では、電池カートリッジの脱落を防止する弾性体を、各電池カートリッジに対して個々に設けないといけないため、部品点数が多く、コストアップになってしまう。また、部品点数が多いことにより、組立時の工数が多くなってしまう。
【課題を解決するための手段】
【０００８】
本願に開示する電子機器は、バッテリーユニットを着脱可能な第１のバッテリー装着部及び第２のバッテリー装着部を備えた電子機器であって、筐体と、前記筐体の一又は二の面に形成された、前記バッテリーユニットを挿入可能な前記第１のバッテリー装着部及び前記第２のバッテリー装着部それぞれの開口箇所である開口部と、前記第１のバッテリー装着部及び前記第２のバッテリー装着部に装着された前記バッテリーユニットをそれぞれ離脱不可に係止可能な操作部と、前記筐体における前記第１のバッテリー装着部と前記第２のバッテリー装着部との間に配されたバッテリー保持部とを備え、前記バッテリー保持部は、前記第１のバッテリー装着部に装着されたバッテリーユニットの凹部と嵌合する第１の保持部と、前記第２のバッテリー装着部に装着されたバッテリーユニットの凹部と嵌合する第２の保持部とを一体的に備えたものである。
【発明の効果】
【０００９】
本願の開示によれば、バッテリーの脱落を防止する構成を少ない部品点数で実現でき、コストダウンを図ることができる。
【図面の簡単な説明】
【００１０】
【図１】実施の形態にかかるノートパソコンの斜視図
【図２】ノートパソコンの下面側の斜視図
【図３】ノートパソコンの下面の平面図
【図４】スロットの近傍の模式図
【図５】保持部材の斜視図
【図６】ノートパソコンの変形例を示す斜視図
【図７】ノートパソコンの変形例を示す斜視図
【図８】ノートパソコンの変形例を示す斜視図
【図９】ノートパソコンの変形例を示す断面図
【発明を実施するための形態】
【００１１】
（実施の形態）
〔１．電子機器の構成〕
図１は、本実施の形態にかかる電子機器の一例であるノートパソコンの外観を示す斜視図である。なお、本実施の形態では、電子機器の一例としてノートパソコンを挙げたが、少なくともバッテリーを着脱可能な機器であればよい。
【００１２】
図１に示すように、ノートパソコンは、第１の筐体１と第２の筐体２とを備えている。第１の筐体１は、各種電気素子が実装された回路基板やハードディスクドライブなどを内蔵している。第２の筐体２は、ディスプレイパネル４（例えば液晶ディスプレイパネル）を備えている。第１の筐体１と第２の筐体２とは、ヒンジ部３によって矢印ＡまたはＢに示す方向へ回転自在に支持されている。ヒンジ部３は、第１の筐体１と第２の筐体２とを回転自在に支持する回転軸を備えている。第１の筐体１の上面１ａには、キーボード５とポインティングデバイス６とが配されている。
【００１３】
図２は、ノートパソコンの下面１ｂ及び背面１ｃ側の斜視図である。図３は、ノートパソコンの下面１ｂの平面図である。
【００１４】
下面１ｂは、第１の筐体１の上面１ａの裏側の面である。下面１ｂは、スライドレバー１３１及び１３２を備えている。背面１ｃは、第１の筐体１における上面１ａ及び下面１ｂに隣接する４つの面のうち、ヒンジ部３の開閉軸Ａ１（図１参照）に最も近い面のことである。背面１ｃは、スロット１１１及び１１２を備えている。
【００１５】
スロット１１１は、バッテリーユニット１２１を挿入可能な容積を有する。スロット１１２は、バッテリーユニット１２２を挿入可能な容積を有する。なお、バッテリーユニット１２１とバッテリーユニット１２２とは、同一形状であるため、バッテリーユニット１２２をスロット１１１に挿入することができ、バッテリーユニット１２１をスロット１１２に挿入することができる。
【００１６】
バッテリーユニット１２１は、図３に示すように、一つの側面に凹部１２１ａ及び１２１ｂを備え、他方の側面（前記一つの側面に対向する側面）に凹部１２１ｃを備えている。バッテリーユニット１２２は、図３に示すように、一つの側面に凹部１２２ａ及び１２２ｂを備え、他方の側面（前記一つの側面に対向する側面）に凹部１２２ｃを備えている。
【００１７】
スライドレバー１３１及び１３２は、矢印ＣまたはＤに示す方向へ変位可能である。スライドレバー１３１は、スロット１１１に装着された例えばバッテリーユニット１２１を係止可能であり、バネなどの付勢手段（不図示）により係止位置に付勢されている（矢印Ｄに示す方向へ付勢）。スライドレバー１３２は、スロット１１２に装着された例えばバッテリーユニット１２２を係止可能であり、バネなどの付勢手段（不図示）により係止位置に付勢されている（矢印Ｄに示す方向へ付勢）。
【００１８】
〔２．バッテリー保持装置の構成〕
図４は、第１の筐体１におけるスロット１１１、スロット１１２、およびその近傍の構成を示す模式図である。
【００１９】
図４に示すように、スライドレバー１３１は、傾斜面を有する係止部１３１ａを備えている。スライドレバー１３２は、傾斜面を有する係止部１３２ａを備えている。スライドレバー１３１及び１３２は、矢印ＣまたはＤに示す方向へ変位可能である。スライドレバー１３１及び１３２は、バネなどの付勢手段により矢印Ｄに示す方向へ付勢されている。
【００２０】
スロット１１１とスロット１１２との間には、保持部材１４１が配されている。図５は、保持部材１４１の斜視図である。保持部材１４１は、第１の保持部１４２、第２の保持部１４３、固定部１４４、第１の孔部１４５、および第２の孔部１４６を備えている。保持部材１４１は、ステンレス等の板金で形成され、少なくとも第１の保持部１４２及び第２の保持部１４３は弾性を有する。
【００２１】
第１の保持部１４２は、矢印ＣまたはＤに示す方向へ弾性変形可能である。第１の保持部１４２は、略「Ｖ」形状に折り曲げられた曲げ部１４２ａを有する。曲げ部１４２ａは、バッテリーユニット１２１の凹部１２１ｂまたは１２１ｃ、バッテリーユニット１２２の凹部１２２ｂまたは１２２ｃに嵌合可能（本実施の形態では、凹部１２１ｃに嵌合可能）である。曲げ部１４２ａと曲げ部１４３ａとは、相反する方向へ屈曲している。第１の保持部１４２は、バッテリーユニット１２１の挿脱方向（矢印Ｅ及びＦに示す方向）における、ロックレバー１３１と開口部１ｄとの間に配置されている。
【００２２】
第２の保持部１４３は、矢印ＣまたはＤに示す方向へ弾性変形可能である。第２の保持部１４３は、略「Ｖ」形状に折り曲げられた曲げ部１４３ａを有する。曲げ部１４３ａは、バッテリーユニット１２１の凹部１２１ｂまたは１２１ｃ、バッテリーユニット１２２の凹部１２２ｂまたは１２２ｃに嵌合可能（本実施の形態では、凹部１２２ｂに嵌合可能）である。第２の保持部１４３は、バッテリーユニット１２２の挿脱方向（矢印Ｅ及びＦに示す方向）における、ロックレバー１３２と開口部１ｅとの間に配置されている。
【００２３】
固定部１４４は、第１の保持部１４２と第２の保持部１４３とを連結している部分である。固定部１４４は、第１の孔部１４５及び第２の孔部１４６が形成されている。第１の孔部１４５は、保持部材１４１を第１の筐体１に固定する際に、ネジ１５０（図４参照）を挿通可能である。第２の孔部１４６は、保持部材１４１を第１の筐体１に固定する際に、第１の筐体１に形成されているピン１５１（図４参照）が挿通可能である。
【００２４】
図４に示すように保持部材１４１は、スロット１１１とスロット１１２との間に固定されている。保持部材１４１は、ネジ１５０を第１の孔部１４５（図５参照）に挿通して第１の筐体１に形成されているネジ穴に螺合することで、第１の筐体１に固定される。
【００２５】
また、保持部材１４１における第２の孔部１４６には、第１の筐体１に形成されているピン１５１が挿通していることで、保持部材１４１を所定の姿勢で第１の筐体１に固定することができる。すなわち、保持部材１４１をネジ１５０だけで固定する構成では、保持部材１４１に対して矢印ＣまたはＤに示す方向の押圧力が加わった際に，保持部材１４１がネジ１５０を支点にして回転してしまう可能性がある。本実施の形態のようにピン１５１を第２の孔部１４６に挿通させることによって、保持部材１４１の回転を防止することができる。
【００２６】
また、保持部材１４１は、第１の保持部１４２の少なくとも曲げ部１４２ａがスロット１１１内に突出し、第２の保持部１４３の少なくとも曲げ部１４３ａがスロット１１２内に突出するように配される。第１の保持部１４２の突出量は、少なくともスロット１１１に挿入されたバッテリーユニット１２１の凹部１２１ｃに嵌合可能な突出量である。第２の保持部１４３の突出量は、少なくともスロット１１２に挿入されたバッテリーユニット１２１の凹部１２１ｂに嵌合可能な突出量である。
【００２７】
以下、バッテリーユニット１２１及び１２２の装着動作について説明する。
【００２８】
バッテリーユニット１２１をスロット１１１へ矢印Ｆに示す方向へ挿入すると、まずバッテリーユニット１２１の先端が保持部材１４１の第１の保持部１４２に当接する。
【００２９】
次に、バッテリーユニット１２１を矢印Ｆに示す方向へ変位させると、第１の保持部１４２がバッテリーユニット１２１に押圧されて矢印Ｄに示す方向へ弾性変形し、曲げ部１４２ａがバッテリーユニット１２１の側面に乗り上げる。
【００３０】
さらにバッテリーユニット１２１を矢印Ｆに示す方向へ変位させると、バッテリーユニット１２１の先端がスライドレバー１３１の係止部１３１ａの傾斜面に当接する。
【００３１】
さらにバッテリーユニット１２１を矢印Ｆに示す方向へ変位させると、スライドレバー１３１はバッテリーユニット１２１に押圧されて矢印Ｃに示す方向へ変位する。
【００３２】
バッテリーユニット１２１を矢印Ｆに示す方向の端部まで変位させることにより、スライドレバー１３１が付勢手段（不図示）の付勢力によって矢印Ｄに示す方向へ変位され、係止部１３１ａがバッテリーユニット１２１の凹部１２１ａに係合する。
【００３３】
係合後、スライドレバー１３１は、付勢手段により矢印Ｄに示す方向へ連続的に押圧されている状態となり、図４に示す突出位置を維持する。
【００３４】
これにより、バッテリーユニット１２１は、矢印Ｅに示す方向（離脱方向）への変位が規制された状態となる。また、このとき、保持部材１４１の第１の保持部１４２がバッテリーユニット１２１の凹部１２１ｃに嵌合する。
【００３５】
バッテリーユニット１２２をスロット１１２へ矢印Ｆに示す方向へ挿入すると、まずバッテリーユニット１２２の先端が保持部材１４１の第２の保持部１４３に当接する。
【００３６】
次に、バッテリーユニット１２２を矢印Ｆに示す方向へ変位させると、第２の保持部１４３がバッテリーユニット１２２に押圧されて矢印Ｃに示す方向へ弾性変形し、曲げ部１４３ａがバッテリーユニット１２２の側面に乗り上げる。
【００３７】
さらにバッテリーユニット１２２を矢印Ｆに示す方向へ変位させると、バッテリーユニット１２２の先端がスライドレバー１３２の係止部１３２ａの傾斜面に当接する。
【００３８】
さらにバッテリーユニット１２２を矢印Ｆに示す方向へ変位させると、スライドレバー１３２はバッテリーユニット１２２に押圧されて矢印Ｃに示す方向へ変位する。
【００３９】
バッテリーユニット１２２を矢印Ｆに示す方向の端部まで変位させることにより、スライドレバー１３２が付勢手段（不図示）の付勢力によって矢印Ｄに示す方向へ変位され、係止部１３２ａがバッテリーユニット１２２の凹部１２２ａに係合する。
【００４０】
係合後、スライドレバー１３２は、付勢手段により矢印Ｄに示す方向へ連続的に押圧されている状態となり、図４に示す突出位置を維持する。
【００４１】
これにより、バッテリーユニット１２２は、矢印Ｅに示す方向（離脱方向）への変位が規制された状態となる。また、このとき、保持部材１４１の第２の保持部１４３がバッテリーユニット１２２の凹部１２２ｂに嵌合する。
【００４２】
バッテリーユニット１２１をスロット１１１から取り出す際は、まず、スライドレバー１３１を矢印Ｃに示す方向へ変位させ、係止部１３１ａをバッテリーユニット１２１の凹部１２１ａから離脱させる。これにより、バッテリーユニット１２１は、矢印Ｅに示す方向へ変位可能な状態となる。このとき、保持部材１４１の第１の保持部１４２がバッテリーユニット１２１の凹部１２１ｃに嵌合しているため、バッテリーユニット１２１は矢印Ｅに示す方向へ変位しにくい。例えば、ノートパソコンを、第１の筐体１の背面１ｃが鉛直下向きとなる姿勢にしたとしても、バッテリーユニット１２１は、保持部材１４１によって鉛直下向きへの変位が規制されているため、自重によりスロット１１１から抜け出にくい。
【００４３】
次に、バッテリーユニット１２１を、スロット１１１から露出している側の端部を把持して、矢印Ｅに示す方向へ引き出す。このとき、凹部１２１ｃに嵌合している第１の保持部１４２は、バッテリーユニット１２１の側面に押圧されて矢印Ｄに示す方向へ弾性変形し、凹部１２１ｃから離脱する。
【００４４】
第１の保持部１４２は、凹部１２１ｃから離脱した後、バッテリーユニット１２１の側面に乗り上げる。次に、バッテリーユニット１２１を矢印Ｅに示す方向へ変位させることで、バッテリーユニット１２１をスロット１１１から取り出すことができる。
【００４５】
バッテリーユニット１２２をスロット１１２から取り出す際は、まず、スライドレバー１３２を矢印Ｃに示す方向へ変位させ、係止部１３２ａをバッテリーユニット１２２の凹部１２２ａから離脱させる。これにより、バッテリーユニット１２２は、矢印Ｅに示す方向へ変位可能な状態となる。このとき、保持部材１４１の第２の保持部１４３がバッテリーユニット１２２の凹部１２２ｂに嵌合しているため、バッテリーユニット１２２は矢印Ｅに示す方向へ変位しにくい。例えば、ノートパソコンを、第１の筐体１の背面１ｃが鉛直下向きとなる姿勢にしたとしても、バッテリーユニット１２２は、保持部材１４１によって鉛直下向きへの変位が規制されているため、自重によりスロット１１２から抜け出にくい。
【００４６】
次に、バッテリーユニット１２２を、スロット１１２から露出している側の端部を把持して、矢印Ｅに示す方向へ引き出す。このとき、凹部１２２ｂに嵌合している第２の保持部１４３は、バッテリーユニット１２２の側面に押圧されて矢印Ｃに示す方向へ弾性変形し、凹部１２２ｂから離脱する。第２の保持部１４３は、凹部１２２ｂから離脱した後、バッテリーユニット１２２の側面に乗り上げる。そのままバッテリーユニット１２２を矢印Ｅに示す方向へ変位させることで、バッテリーユニット１２２をスロット１１２から取り出すことができる。
【００４７】
なお、バッテリーユニット１２１とバッテリーユニット１２２とは同じ形状及び寸法であるため、バッテリーユニット１２１はスロット１１２に装着することができる。その場合、バッテリーユニット１２１の凹部１２１ａにはスライドレバー１３２が係合し、凹部１２１ｂに保持部材１４１の第２の保持部１４３が嵌合する。
【００４８】
また、バッテリーユニット１２２は、スロット１１１に装着することができる。その場合、バッテリーユニット１２２の凹部１２２ａにはスライドレバー１３１が係合し、凹部１２２ｃに保持部材１４１の第１の保持部１４２が嵌合する。
【００４９】
〔３．実施の形態の効果、他〕
本実施の形態の保持部材１４１は、スロット１１１とスロット１１２との間に配されている。バッテリーユニットは、凹部を備えている。第１の保持部１４２は、スロット１１１に挿入されたバッテリーユニットの凹部に嵌合可能である。第２の保持部１４３は、スロット１１２に挿入されたバッテリーユニットの凹部に嵌合可能である。これらの構成により、スライドレバー１３１または１３２を矢印Ｃに示す方向へ変位させてバッテリーユニットに対する係止を解除したとしても、バッテリーユニットは自重によりスロットから離脱しにくい。したがって、ノートパソコンが例えば第１の筐体１の背面１ｃが鉛直下向きとなる姿勢であったとしても、バッテリーユニットを誤って床等に落下させてしまうことを防止することができる。
【００５０】
また、本実施の形態によれば、１つの保持部材１４１で２つのバッテリーユニットを保持することができるので、バッテリーユニットの脱落防止構造を少ない部品点数で実現することができ、部品コストを低減することができる。また、部品点数が少ないため、組立時の工数を削減することができ、製造コストを低減することができる。
【００５１】
また、本実施の形態によれば、保持部材１４１は、金属製の板金を曲げて形成することができるため、簡単に製造することができる。
【００５２】
また、本実施の形態によれば、保持部材１４１に第１の孔部１４５と第２の孔部１４６とを備え、第２の孔部１４６にピン１５１を挿通させ、第１の孔部１４５にネジ１５０を挿通させることで、保持部材１４１を第１の筐体１に固定する構成としたことにより、保持部材１４１を確実に位置決めすることができる。仮に、保持部材１４１がネジ１５０のみで位置決めされている場合は、バッテリーユニットを着脱する際に第１の保持部１４２が矢印Ｄに示す方向へ弾性変形したり第２の保持部１４３が矢印Ｃに示す方向へ弾性変形したりしたときに、ネジ１５０を支点にして回転方向へ変位してしまう可能性がある。本実施の形態では、保持部材１４１を２カ所で位置決めすることで、第１の保持部１４２が矢印Ｄに示す方向へ弾性変形したり、第２の保持部１４３が矢印Ｃに示す方向へ弾性変形したりしたときに、保持部材１４１が不意に変位してしまうことを防止することができる。
【００５３】
また、本実施の形態によれば、保持部材１４１に第１の孔部１４５と第２の孔部１４６とを備え、第２の孔部１４６にピン１５１を挿通させ、第１の孔部１４５にネジ１５０を挿通させることで、保持部材１４１を第１の筐体１に固定する構成としたことにより、保持部材１４１を第１の筐体１に固定する際の作業性を向上することができる。すなわち、保持部材１４１はネジ１５０により第１の筐体１に固定する構成であるため、ネジ１５０を第１の孔部１４５に挿通させて第１の筐体１のネジ穴（不図示）に螺合させる際に、ドライバーの回転とともに保持部材１４１が回転してしまう可能性がある。したがって、保持部材１４１を正規の位置に位置決めすることが困難となる。本実施の形態では、保持部材１４１に第２の孔部１４６を設けて、保持部材１４１を第１の筐体１に固定する際に第２の孔部１４６にピン１５１を挿通させる構成としたことにより、ドライバーでネジ１５０を第１の筐体１のネジ穴（不図示）に螺合させる際に、保持部材１４１の不意な回転を防止することができる。
【００５４】
また、本実施の形態によれば、第１の保持部１４２は、バッテリーユニット１２１の挿脱方向（矢印Ｅ及びＦに示す方向）におけるロックレバー１３１と開口部１ｄとの間に配置されていることにより、ロックレバー１３１によるバッテリーユニット１２１の係止が解除された際に、バッテリーユニット１２１が不意にスロット１１１から脱落してしまうことを防止できる。すなわち、第１の保持部１４２は、ロックレバー１３１によるバッテリーユニット１２１の係止が解除されたとしても、バッテリーユニット１２１を保持することができるため、バッテリーユニット１２１が不意にスロット１１１から脱落してしまうことを防止できる。また、第１の保持部１４２はバッテリーユニット１２１の凹部１２１ｃに裕度を持って嵌合しているため、ロックレバー１３１による係止が解除されたバッテリーユニット１２１はその一部が開口部１ｄから突出する位置へ変位する場合がある。ユーザーは、開口部１ｄから突出したバッテリーユニット１２１の一部を掴んで変位させることで、バッテリーユニット１２１をスロット１１１から抜くことができる。なお、第２の保持部１４３についても、上記と同様の効果を得ることができる。
【００５５】
なお、本実施の形態では、保持部材１４１は、ステンレス製の板金で形成したが、弾性変形可能な材料であれば金属に限らず、樹脂などでも形成することができる。また、第１の保持部１４２及び第２の保持部１４３の板厚は、バッテリーユニット１２１及び１２２の質量に応じて変化させることもできる。
【００５６】
また、本実施の形態では、保持部材１４１を第１の筐体１に固定する手段としてネジ１５０を用いたが、他の固定手段を用いてもよい。例えば、ネジ１５０に代えてリベットを用いてもよい。また、第１の筐体１にピンを設け、そのピンを第１の孔部１４５に圧入する構成でもよい。
【００５７】
なお、本実施の形態では、第１の孔部１４５にネジ１５０を挿通させ、第２の孔部１４６にピン１５１を挿通させる構成について説明したが、第１の孔部１４５にピン１５１、第２の孔部１４６にネジ１５０をそれぞれ挿通させる構成であっても対応可能である。
【００５８】
また、図６に示すように、バッテリーユニット１２１及び１２２をそれぞれスロット１１１及び１１２に収納した際に、バッテリーユニット１２１及び１２２の一部が掴み代として第１の筐体１から露出する構成としてもよい。すなわち、図２に示すスロット１１１及び１１２は、第１の筐体１の背面１ｃにのみ開口部を有していたが、図６に示すスロット１１１及び１１２は、背面１ｃに開口部を有するとともに、下面１ｂに切り欠き部１１１ａ及び１１２ａが形成されている。
【００５９】
これにより、バッテリーユニット１２１及び１２２をスロット１１１及び１１２に収納した状態（図６では、バッテリーユニット１２２をスロット１１２に収納した状態を示している）において、バッテリーユニット１２１及び１２２の一部が第１の筐体１の下面１ｂ及び背面１ｃとに露出する。ユーザーは、バッテリーユニットの露出部分を指で把持することにより、バッテリーユニットをスロットから取り出す際に誤ってバッテリーユニットを床等に落下させてしまう可能性を低くすることができる。
【００６０】
上述の実施の形態では、筐体１の下面１ｂ側に切り欠き部１１１ａ及び１１２ａを備えたが、切り欠き部１１１ａ及び１１２ａは筐体１の上面１ａに備えても良い。
【００６１】
また、片側のみのバッテリーユニット（例えば、バッテリーユニット１２２）のみを装着する場合には、バッテリーユニット（この場合では、バッテリーユニット１２１）が未装着となるため、スロット（この場合では、スロット１１１）にダミーのバッテリーユニットを装着すると、スロット１１１も装着された構成となるため好ましい。
【００６２】
なお、図６に示す構成では、スロット１１１及び１１２にバッテリーユニット１２１及び１２２を収納した状態において、切り欠き部１１１ａ及び１１２ａが露出する構成としたが、バッテリーユニット１２１及び１２２の形状を、切り欠き部１１１ａ及び１１２ａ内にも一部が内在するような形状としてもよい。
【００６３】
図７は、バッテリーユニット１２１及び１２２は、スロット１１１ｂ及び１１２ｂに収納した状態において、第１の筐体１の下面１ｂの一部を兼ねる構成である。
【００６４】
具体的には、図７に示すスロット１１１ｂ及び１１２ｂは、第１の筐体１の下面１ｂ及び背面１ｃに開口し、下面１ｂに開口しているスロット１１１ｂ及び１１２ｂの平面形状をバッテリーユニット１２１及び１２２の平面形状と同形状とした。
【００６５】
なお、図７では、スロット１１１ｂに保持部材１４１における第１の保持部１４２がスロット１１１ｂ内に突出している状態を図示したが、第２の保持部１４３もスロット１１２ｂ内に突出している（図示省略）。スロット１１２ｂ内に突出している第２の保持部１４３は、バッテリーユニット１２２における凹部１２２ｂに嵌合している（図示省略）。また、第１の筐体１の背面１ｃに開口しているスロット１１１ｂ及び１１２ｂの側面形状を、バッテリーユニット１２１及び１２２の側面形状と同形状とした。これにより、バッテリーユニット１２１を例えばスロット１１１ｂに収納した際に、下面１ｂとバッテリーユニット１２１の下面１２１ｄとが面一となり、背面１ｃとバッテリーユニット１２１の背面１２１ｅとが面一となる。また、バッテリーユニット１２２を例えばスロット１１２ｂに収納した際に、下面１ｂとバッテリーユニット１２２の下面１２２ｄとが面一となり、背面１ｃとバッテリーユニット１２２の背面１２２ｅとが面一となる。
【００６６】
また、この構成ではバッテリーユニット１２１の凹部１２１ｂ及び１２１ｃやバッテリーユニット１２２の凹部１２２ｂ及び１２２ｃは、それぞれのバッテリーユニットにおける厚み方向における中央部側に寄せ（以下、オフセットと称す）て構成することで、スロット１１１ｂ及び１２２ｂに装着したバッテリーユニット１２１及び１２２の落下を防止することができる。なお、この構成を採用する場合には、保持部１４２及び１４３もバッテリーユニットの厚み方向にオフセットさせる。但し、保持部１４２及び１４３をバッテリーユニットの厚み方向にオフセットさせた場合、バッテリー容量を維持するためにはバッテリーユニット１２１及び１２２が大型化する傾向がある。
【００６７】
なお、ノートパソコン及びバッテリーユニットは、図８に示す構成とすることがさらに好ましい。図８に示すバッテリーユニット１２１は、凹部１２１ａ、１２１ｂ、および１２１ｃと下面１２１ｄとの間に、当該下面１２１ｄと平行な凸状リブ１２１ｆ及び１２１ｇを備えている。スロット１１１ｂは、凸状リブ１２１ｆ及び１２１ｇに対向する内面に凹状溝１１１ｆ及び１１１ｇを備えている。凸状リブ１２１ｆは、凹状溝１１１ｆに嵌合可能である。凸状リブ１２１ｇは、凹状溝１１１ｇに嵌合可能である。
【００６８】
凸状リブ１２１ｆ及び１２１ｇと凹状溝１１１ｆ及び１１１ｇとを嵌合させることにより、バッテリーユニット１２１がスロット１１１ｂに保持され、バッテリーユニット１２１がスロット１１１ｂから離脱しにくくすることができる。すなわち、ノートパソコンを下面１ｂが鉛直下向きとなる姿勢にして、ロックレバー１３１を矢印Ｃに示す方向へ変位させてバッテリーユニット１２１に対する係止を解除した際に、バッテリーユニット１２１は、スロット１１１ｂから脱落しようとする。しかし、バッテリーユニット１２１は、凸状リブ１２１ｆ及び１２１ｇと凹状溝１１１ｆ及び１１１ｇとが嵌合しているため、スロット１１１ｂから脱落しにくい。
【００６９】
また、バッテリーユニット１２１に凹状溝を備え、スロット１１１に凸状リブを備えてもよいが、バッテリーユニット１２１に内蔵されたバッテリーに凹状溝が干渉することを考慮すると、バッテリーユニット１２１に凸状リブ１２１ｆ及び１２１ｇを備えることが、より好ましい。バッテリーユニット１２１に凹状溝を備える場合は、バッテリーと凹状溝とが干渉しないように、例えば凹状溝をバッテリーユニット１２１の側面の端部に形成することが好ましい。
【００７０】
また、上述した凸状リブ及び凹状溝は、バッテリーユニット１２１及び１２２の厚み方向における中央部に備えたが、その中央部からバッテリーユニット１２１及び１２２の端部側（厚み方向）へオフセットさせた構成を採用すると、バッテリーユニット１２１及び１２２をスロット１１１ｂ及び１２２ｂに装着する際に、バッテリーユニット１２１及び１２２の正しい装着向きを判明させることができる。
【００７１】
なお、バッテリーユニット１２２とスロット１１２ｂは、バッテリーユニット１２１及びスロット１１１ｂと同様の構成をとることができる。
【００７２】
また、図９に示すように、保持部材１４１は、第１の保持部１４２のみを備えた構成としてもよい。図９に示す第１の保持部１４２は、バッテリーユニット１２２の挿脱方向における、ロックレバー１３１と開口部１ｄとの間に配置されている。なお、図９に示した実施の形態において、第１の保持部１４１がバッテリーユニット１２１の凹部１２１ｃのみに嵌合する構成で説明したが、凹部１２１ｂのみに嵌合する構成であっても対応は可能である。しかしながら、凹部１２１ｂに嵌合する構成では、バッテリーユニット１２１における片側のみを係止するため、バッテリーユニット１２１をスロット１１１の内部に係止しにくくなる場合があり、図９に示したようにバッテリーユニット１２１の両側面を係止する構成が好ましい。
【００７３】
なお、上述した本実施の形態における保持部材１４１は、バッテリー保持部及びバッテリー係止手段の一例である。本実施の形態における第１の保持部１４２は、バッテリー保持部及び第１の保持部の一例である。本実施の形態における第２の保持部１４３は、バッテリー保持部及び第２の保持部の一例である。本実施の形態における第１の孔部１４５、第２の孔部１４６は、孔部の一例である。本実施の形態におけるロックレバー１３１及び１３２は、操作部の一例である。本実施の形態におけるスロット１１１及び１１２は、バッテリー装着部の一例である。本実施の形態における開口部１ｄ及び１ｅは、開口部の一例である。本実施の形態における第１の筐体１は、筐体の一例である。本実施の形態における凸状リブ１２１ｆ及び１２１ｇは、突起部の一例である。本実施の形態における凹状溝１１１ｆ及び１１１ｇは、凹部の一例である。
【産業上の利用可能性】
【００７４】
本願に開示する電子機器は、バッテリーを着脱可能な機器に有用である。
【符号の説明】
【００７５】
１２１、１２２  バッテリーユニット
１２１ａ，１２１ｂ，１２１ｃ，１２２ａ，１２２ｂ，１２２ｃ  凹部
１４１  保持部材
１４２  第１の保持部
１４３  第２の保持部
１４５  第１の孔部
１４６  第２の孔部
【図１】
0005584149.tif 000002
【図２】
0005584149.tif 000003
【図３】
0005584149.tif 000004
【図４】
0005584149.tif 000005
【図５】
0005584149.tif 000006
【図６】
0005584149.tif 000007
【図７】
0005584149.tif 000008
【図８】
0005584149.tif 000009
【図９】
0005584149.tif 000010